(57)【要約】【課題】バックライト装置の部品点数と組立工程とを減少してコストダウンを実現するとともに、反射板の剥がれや撓みを防止する。【解決手段】リフレクタフレーム３６の上側壁に突起３６ａ，３６ｂ，３６ｃを形成し、リフレクタフレーム３６の下側壁にも上側壁と同様の突起を形成する。これら突起はリフレクタフレーム３６の内後面から反射板３５の厚みに略等しい高さとなる後面を有し、この後面とリフレクタフレーム３６の内後面との間に反射板３５の上下端部を挟持する。【選択図】図５
2008107561.tif 000002
【特許請求の範囲】
【請求項１】
前後に浅く形成されて前面を開口した略直方体形状の箱体と、上記箱体の内後面に沿って配置される反射板と、該反射板上に長軸を左右に配向させつつ上下に並べて配置される複数の冷陰極蛍光管と、上記箱体の前面を覆うように配置される液晶パネルとを備えて、入力される映像信号に基づく映像を上記液晶パネルに表示する映像表示装置において、
上記箱体は、上下側壁に各々等間隔に３つの突起が形成され、かつ上記箱体の内後面の上記突起に対応する位置に台部が形成されており、該台部の前面と上記突起の後面との間は上記反射板の厚みと略等しい間隔とされ、
上記突起の先端部分には、傾斜面が上記箱体の内後面側から見えるように形成される傾斜部が形成され、
上記反射板は、左右方向においては上記箱体の内後面と略一致しつつ、上下方向長さは上記突起と上記台部の間に位置する上側壁から、上記突起と上記台部の間に位置する下側壁までの長さよりも僅かに長く形成され、かつ上記放電管の後ろになる位置に穴が形成され、
上記箱体の内後面には、上記穴から上記反射板の前面側に突出して左右側方の何れかに延びるフック部を有し、
上記反射板を上記フック部の左右長さ分だけ上記フック部の延出方向と逆方向にずらして上記上側壁の突起と台部との間に上記反射板の上端を斜めに嵌め込み、上記反射板の上下方向中央部を後方に撓ませて上記フック部を上記穴に通しつつ上記下側壁の突起と台部との間に上記反射板の下端を嵌め込み、上記反射板の上下二辺を上記上側壁の突起および台部と上記下側壁の突起および台部とにより上記箱体の内後面に上下方向略中央を接して固定するとともに、上記フック部が上記反射板を該内後面との間に挟持することを特徴とする液晶表示装置。
【請求項２】
前後に浅く形成されて前面を開口した略直方体形状の箱体と、上記箱体の内後面に沿って配置され該内後面と略一致する形状の反射板と、該反射板上に並べて配置される複数の放電管と、上記箱体の前面を覆うように配置される液晶パネルとを備えて、入力される映像信号に基づく映像を上記液晶パネルに表示する映像表示装置において、
上記箱体は、上下左右側壁の少なくとも対向する２つの側壁に突起が形成されており、該突起は上記箱体の内後面から上記反射板の厚みに略等しい高さとなる後面を有し、該後面と上記箱体の内後面との間に上記反射板の端部を挟持することを特徴とする液晶表示装置。
【請求項３】
上記箱体は、内後面の上記突起に対応する位置に台部が形成されており、
上記台部の前面と上記突起の後面との間に上記反射板の中央を上記内後面側に撓ませつつ挟持することを特徴とする上記請求項２に記載の液晶表示装置。
【請求項４】
上記箱体の内後面は、後方に凹むように湾曲されていることを特徴とする上記請求項２または請求項３に記載の液晶表示装置。
【請求項５】
上記反射板には上記放電管の後ろになる位置に穴が形成され、
上記箱体の内後面には、上記穴から上記反射板の前面側に突出して側方に延びるフック部を有し、該フック部が上記反射板を該内後面との間に挟持することを特徴とする上記請求項２〜請求項４の何れか一項に記載の液晶表示装置。
【請求項６】
上記突起の先端部分には、傾斜面が液晶パネル側から見えるように形成される傾斜部が形成されることを特徴とする上記請求項２〜請求項５の何れか一項に記載の液晶表示装置。
【請求項７】
上記突起の先端部分には、傾斜面が上記箱体の内後面側から見えるように形成される傾斜部が形成されることを特徴とする上記請求項２〜請求項５の何れか一項に記載の液晶表示装置。
【請求項８】
上記側壁の略中央に上記突起を設けるとともに、上記側壁の端部付近に上記台部を設けて、上記反射板の略中央部を後方に凹むように撓ませつつ上記突起の後面と上記台部の前面との間に保持することを特徴とする上記請求項２〜請求項７の何れか一項に記載の液晶表示装置。
【請求項９】
上記放電管を上記箱体の内後面に対して支える支持部材を備え、該支持部材で上記反射板を上記箱体の内後面に対して押さえることを特徴とする上記請求項２〜請求項８の何れか一項に記載の液晶表示装置。
【発明の詳細な説明】
【技術分野】
【０００１】
本発明は、液晶表示装置に関し、特に放電管により液晶パネルの背面から光を照射する直下型バックライト装置を備えたものに関する。
【背景技術】
【０００２】
液晶テレビジョンなどの液晶表示装置に使用されるバックライト装置には、蛍光管から出射される光のうち、液晶パネル以外の方向に出射される光を液晶パネル方向に反射する反射板が備えられている。従来、この反射板は、バックライト装置のフレームに両面テープで貼り付け固定されたり、バックライト装置のフレームと接合して一体化されたり（例えば特許文献１等。）、バックライト装置のフレームと接着もしくは溶着により固定されたり（例えば特許文献２等。）していた。また、バックライト装置のフレーム側壁に形成された凹部に反射板に形成された凸部を係合させて、反射板がフレーム底面と平行な方向に移動しないように規制する技術も知られている（例えば特許文献３等。）。
【０００３】
また、バックライト装置のフレームの上面と底面とを開口させ、底面の枠部分と背面カバーとの間に反射シートを押圧挟持する構造について特許文献４に記載されている。またリアフレーム上に反射シートを介してモールドフレームを取り付けた構造について特許文献５に記載されている。
【特許文献１】特開２００６−１４５６５２号公報
【特許文献２】特開２００１−３３７８１号公報
【特許文献３】特開平１０−２５５５３３号公報
【特許文献４】特開２００６−４７５９８号公報
【特許文献５】特開２００５−１７３３０２号公報
【発明の開示】
【発明が解決しようとする課題】
【０００４】
しかしながら、両面テープで貼り付け固定するには、例えば１５インチおよび２０インチの液晶テレビジョンに使用されるバックライトでは２箇所、３６インチの液晶テレビジョンに使用されるバックライトでは６箇所、など複数箇所に両面テープが使用されていた。つまり、従来の両面テープによる固定では、セットを組み立てる上での作業として、（１）両面テープを２〜６箇所貼り付ける工程、（２）反射板を戴置する工程、の２つの工程が必要となる。特に（１）の工程はインチサイズが大きくなるにつれて両面テープの数が増え、これに伴って作業量が増加することになっていた。また、両面テープによる接着では、バックライト装置内部の熱による両面テープの劣化が原因となり、反射板の固定力が低下して剥がれが生じたり、撓みが生じたりていた。
【０００５】
また、特許文献１，２記載の技術では接合、接着、溶着等が必要でありコストアップが避けられない。特許文献３記載の技術では、反射シート形状とフレーム形状が特殊であった。特許文献４記載の技術も、背面フレームを別途追加する必要があり、部品点数および作業工程の増加に繋がる。特許文献５記載の技術は、モールドフレームとリアフレームとで直接反射板を挟持可能なサイドライト方式のバックライトに対応する技術であり、直下型のバックライトに対応するものではない。
【０００６】
本発明は、上記課題に鑑みてなされたもので、バックライト装置の部品点数と組立工程とを減少してコストダウンを実現するとともに、反射板の剥がれや撓みを防止することが可能な液晶表示装置の提供を目的とする。
【課題を解決するための手段】
【０００７】
上記目的を達成するために、本発明の液晶表示装置では、前後に浅く形成されて前面を開口した略直方体形状の箱体と、上記箱体の内後面に沿って配置され該内後面と略一致する形状の反射板と、該反射板上に並べて配置される複数の放電管と、上記箱体の前面を覆うように配置される液晶パネルとを備えて、入力される映像信号に基づく映像を上記液晶パネルに表示する映像表示装置において、上記箱体は、上下左右側壁の少なくとも対向する２つの側壁に突起が形成されており、該突起は上記箱体の内後面から上記反射板の厚みに略等しい高さとなる後面を有し、該後面と上記箱体の内後面との間に上記反射板の端部を挟持する構成としてある。
【０００８】
この構成において、上記突起の上記後面が、上記箱体の内後面との間に上記反射板の端部を挟持することにより、上記反射板を上記箱体の内後面に対して保持している。ここで前後に浅く形成されたとは、左右方向や上下方向に比べて前後方向が短いことを意味する。より具体的には、上記箱体の形状は浅い箱形の容器のバット状であり、その開口面を前面に配向したけ以上である。また、対向する２つの側壁とは、上側壁に突起が形成されるとした側壁にも突起が形成され、右側壁に突起が形成されたら左側壁にも突起が形成されることを意味する。また、略等しいとは、上記厚みと等しい高さでもよく、上記厚みより僅かに長くてもよく、僅かに短くてもよく、上記内後面と上記後面との間に上記反射板を挿入可能であれば様々な高さを採用可能である。以上の構成により、上記反射板を単純な矩形とできるため、組付け作業が容易になり、作業性向上と人件費削減が見込める。
【０００９】
また、上記箱体は、内後面の上記突起に対応する位置に台部が形成されており、上記台部の前面と上記突起の後面との間に上記反射板の中央を上記内後面側に撓ませつつ挟持する構成としても構わない。このように反射板の中央を予め後ろ方向に撓ませておくことにより、望ましくない方向への撓みを防止するとともに、液晶パネルの中央部への反射光が増加するため液晶パネルの画面において中央部の輝度を上昇することができる。さらに、反射板の長さを箱体の内壁間隔よりも長めにすることにより反射板の箱体に対する固定力の上昇にもつながる。
【００１０】
また、上記箱体の内後面は、後方に凹むように湾曲されていてもよい。このように反射板の中央を予め後ろ方向に撓ませておくことにより、望ましくない方向への撓みを防止するとともに、液晶パネルの中央部への反射光が増加するため液晶パネルの画面において中央部の輝度を上昇することができる。さらに、反射板の長さを箱体の内壁間隔よりも長めにすることにより反射板の箱体に対する固定力の上昇にもつながる。
【００１１】
また、上記反射板には上記放電管の後ろになる位置に穴が形成され、上記箱体の内後面には、上記穴から上記反射板の前面側に突出して側方に延びるフック部を有し、該フック部が上記反射板を該内後面との間に挟持する構成としても構わない。このように構成すると、反射板の略中央部をフック部により後ろ方向に規制するため、反射板が後ろ方向に凸に湾曲することがない。また、箱体を白色の樹脂で形成すると、フック部が形成されても光の反射率はほとんど低下せず好適である。
【００１２】
また、上記突起の先端部分には、傾斜面が液晶パネル側から見えるように形成される傾斜部が形成されてもよい。このように突起の先端部分に傾斜面を設けることにより、放電管から突起に向かって照射される光を効率よく液晶パネルに向けて反射することが可能となる。
【００１３】
また、上記突起の先端部分には、傾斜面が上記箱体の内後面側から見えるように形成される傾斜部が形成されてもよい。このように突起の先端部分に傾斜面を設けることにより、反射板を斜めにして突起と箱体の内後面の間に挿入して嵌めこむ際に、反射板を斜めにしたままでより奥まで挿入できるようになり、反射板の箱体に対する取付作業が容易になる。
【００１４】
また、上記側壁の略中央に上記突起を設けるとともに、上記側壁の端部付近に上記台部を設けて、上記反射シートの略中央部を後方に凹むように撓ませつつ上記突起の後面と上記台部の前面との間に保持する構成としても構わない。このように構成することにより、突起と台部とにより、反射板を箱体に対して固定しつつ、左右方向略中央部にて後ろ方向に凸に湾曲させてセットするため、左右方向略中央部にて前方向に凸にすることを防ぐことが出来る。つまり所望の方向に反射板を予め湾曲させることにより、放電管の発する熱などによって意図しない方向に反射板が湾曲するのを防ぐ。また、反射板を左右方向略中央部にて後ろ方向に凸に湾曲させてセットすると、左右方向において略中央部への反射光が増加し、液晶パネルの略中央部の輝度が上昇する。
【００１５】
また、上記放電管を上記箱体の内後面に対して支える支持部材を備え、該支持部材で上記反射板を上記箱体の内後面に対して押さえる構成としても構わない。この構成によれば、支持部材が反射板を箱体の内後面との間に押圧挟持する。即ち、支持部材は、放電管を箱体の内後面に対して支えつつ、反射板を箱体の内後面に対して押さえており、反射板の中央が望ましくない方向へ撓むのを防止している。
【００１６】
さらに、より具体的な構成例として、前後に浅く形成されて前面を開口した略直方体形状の箱体と、上記箱体の内後面に沿って配置される反射板と、該反射板上に長軸を左右に配向させつつ上下に並べて配置される複数の冷陰極蛍光管と、上記箱体の前面を覆うように配置される液晶パネルとを備えて、入力される映像信号に基づく映像を上記液晶パネルに表示する映像表示装置において、上記箱体は、上下側壁に各々等間隔に３つの突起が形成され、かつ上記箱体の内後面の上記突起に対応する位置に台部が形成されており、該台部の前面と上記突起の後面との間は上記反射板の厚みと略等しい間隔とされ、上記突起の先端部分には、傾斜面が上記箱体の内後面側から見えるように形成される傾斜部が形成され、上記反射板は、左右方向においては上記箱体の内後面と略一致しつつ、上下方向長さは上記突起と上記台部の間に位置する上側壁から、上記突起と上記台部の間に位置する下側壁までの長さよりも僅かに長く形成され、かつ上記放電管の後ろになる位置に穴が形成され、上記箱体の内後面には、上記穴から上記反射板の前面側に突出して左右側方の何れかに延びるフック部を有し、上記反射板を上記フック部の左右長さ分だけ上記フック部の延出方向と逆方向にずらして上記上側壁の突起と台部との間に上記反射板の上端を斜めに嵌め込み、上記反射板の上下方向中央部を後方に撓ませて上記フック部を上記穴に通しつつ上記下側壁の突起と台部との間に上記反射板の下端を嵌め込み、上記反射板の上下二辺を上記上側壁の突起および台部と上記下側壁の突起および台部とにより上記箱体の内後面に上下方向略中央を接して固定するとともに、上記フック部が上記反射板を該内後面との間に挟持する構成としてある。
【発明の効果】
【００１７】
以上説明したように本発明によれば、上記反射板を単純な矩形とできるため、組付け作業が容易になり、作業性向上と人件費削減が見込める。
また請求項３、４にかかる発明によれば、望ましくない方向への撓みを防止するとともに、液晶パネルの中央部への反射光が増加するため液晶パネルの画面において中央部の輝度を上昇し、さらに、反射板の箱体に対する固定力の上昇にもつながる。
さらに請求項５にかかる発明によれば、反射板が後ろ方向に凸に湾曲することがない。
また請求項６にかかる発明によれば、放電管から突起に向かって照射される光を効率よく液晶パネルに向けて反射することが可能となる。
そして請求項７にかかる発明によれば、射板を斜めにして突起と箱体の内後面の間に挿入して嵌めこむ際に、反射板を斜めにしたままでより奥まで挿入できるようになり、反射板の箱体に対する取付作業が容易になる
また請求項８にかかる発明によれば、意図しない方向に反射板が湾曲するのを防ぐ。また、液晶パネルの略中央部の輝度が上昇する。
また請求項９にかかる発明によれば、反射板の中央が望ましくない方向へ撓むのを防止している。
さらに請求項１のような、より具体的な構成において、上述した請求項２、請求項４の各発明と同様の作用を奏することはいうまでもない。
【発明を実施するための最良の形態】
【００１８】
以下、下記の順序に従って本発明の実施形態を説明する。
（１）液晶テレビジョンの構成：
（２）バックライト装置の構成：
（３）反射板取付構造：
（４）反射板取付構造の第一の変形例：
（５）反射板取付構造の第二の変形例：
（６）反射板取付構造の第三の変形例：
（７）反射板取付構造の第四の変形例：
（８）反射板取付構造の第五の変形例：
（９）反射板取付構造の第六の変形例：
（１０）まとめ：
【００１９】
（１）液晶テレビジョンの構成： 
以下、本発明の一実施形態にかかる映像表示装置としての液晶テレビジョンについて説明する。なお、本実施形態では液晶テレビジョンを例にとって説明するが、この実施形態に限定されるものではなく、液晶パネルを背後から照射する放電管を備えた直下型バックライトを備える液晶表示装置であれば、本発明の要旨を逸脱しない範囲で種々の変形実施の形態が可能である。
【００２０】
図１は液晶テレビジョン１００を斜め前方より見て示した斜視図である。同図において液晶テレビジョン１００は、キャビネットＣと液晶パネル１６と脚部Ｌとから構成されている。液晶パネル１６は映像を表示する平坦な表示面を前方に向けてキャビネットＣ内に収容される。またキャビネットＣの前面には略矩形の穴を有しており、液晶パネル１６の表示面はこの略矩形の穴から露見している。樹脂製のキャビネットＣは液晶パネル１６の表示面を前方に露出させて保持しつつ、キャビネットＣ内部に液晶テレビジョン１００の制御や電源供給を行う基板や音声を出力するスピーカを収容する。脚部Ｌは、液晶パネル１６の表示面が略鉛直に配向するようにキャビネットＣを支持する。
【００２１】
図２は液晶テレビジョン１００の概略構成を示すブロック図である。液晶テレビジョン１００は、概略、アンテナ１０ａを接続されたチューナ１０と、画像データ生成部１２と、パネル駆動部１４と、液晶パネル１６と、マイコン１８と、インバータ部２２と、バックライト装置２０とからなる。また外部の商用電源等から電源電圧を供給される電源回路（不図示）から交流もしくはＡＣ／ＤＣ変換した電源電圧が液晶テレビジョン１００全体に供給されている。
【００２２】
マイコン１８は液晶テレビジョン１００を構成するチューナ１０と画像データ生成部１２とパネル駆動部１４とインバータ部２２と電源回路と電気的に接続しており、マイコン１８を構成するＣＰＵが、同じくマイコン１８を構成するＲＯＭやＲＡＭなどに書き込まれた各プログラムに従って、液晶テレビジョン１００全体を制御する。
【００２３】
チューナ１０はマイコン１８の制御によりアンテナ１０ａからテレビ放送信号を受信し、所定の信号増幅処理等を行いつつ、テレビ放送信号から中間周波信号としての映像信号を抽出して画像データ生成部１２に出力する。画像データ生成部１２は、入力された映像信号をその信号レベルに応じてデジタル化するとともに、映像信号から抽出した輝度信号と色差信号とに基づいてマトリクス変換処理を行ない、画像データとしてのＲＧＢ（レッド、グリーン、ブルー）信号を生成する。
【００２４】
パネル駆動部１４は画像データ生成部１２からＲＧＢ信号を入力されると、このＲＧＢ信号に対して液晶パネル１６の画素数（横縦比、ｍ：ｎ）に合わせたスケーリング処理を行い液晶パネル１６に表示する１画面分の画像データを生成する。このように生成された画像データを液晶パネル１６に出力して液晶パネル１６の画面に画像データに基づく画像を表示させる。
インバータ部２２は、電源回路から供給された直流電圧を交流電圧に変換するとともに昇圧してバックライト装置２０に供給する。バックライト装置３０は放電管３４として冷陰極蛍光管を備え、この冷陰極蛍光管にインバータ部２２から供給される交流電圧を印加して電流を流すことにより、このバックライトの前面を覆うように配置される液晶パネル１６を背面から照射する光源とする。
【００２５】
（２）バックライト装置の構成： 
図３はバックライト装置２０の構造を示す分解斜視図である。以後、図１のように液晶テレビジョン１００を立設して表示面に対面したときに、右側を右、左側を左、上側を上、下側を下、表示面側を前、液晶テレビジョン１００の後方を後として説明する。図３においてバックライト装置３０は、モールドフレーム３１と、調光シート３２と、拡散板３３と、放電管３４と、反射板３５と、リフレクタフレーム３６とから構成される。モールドフレーム３１は調光シート３２と拡散板３３をリフレクタフレーム３６との間に挟持して固定する。
【００２６】
リフレクタフレーム３６は前後に浅く形成されて前面を開口した略直方体形状の箱体であり、白色の耐熱性の樹脂で形成される。このリフレクタフレーム３６の内後面には反射板３５が配置され、反射板３５の前面側に長軸を左右に配向された放電管３４が上下に並べて配置される。また左右側壁には、後辺から略中央にかけて略矩形の穴が形成され、放電管３４の左右端部をリフレクタフレーム３６の外部に突出可能としている。この略矩形の穴には放電管３４を所定位置に固定する部材が取り付けられている。この固定する部材には放電管３４の配置される位置に合わせて穴が形成されており、この穴に放電管３４を挿通してリフレクタフレーム３６に固定することにより、放電管３４が上下方向にずれないように固定している。リフレクタフレーム３６の上下左右側壁は、内後面から前面に向かって広がように形成されており、放電管３４から上下左右側壁に照射された光を液晶パネル１６の配置される前面方向に反射しやすい構造になっている。また白色樹脂のため、放電管３４から照射される光を反射しやすい。
【００２７】
反射板３５は紙に樹脂を含浸した光沢紙を素材とする略平面状の白色のシートであり、リフレクタフレーム３６の底面と略一致する形状とされる。また反射板３５は後述する突起３６ａ〜３６ｃの後面からリフレクタフレーム３６の内後面までの距離と略一致する厚みを有しており、具体的には１ｍｍ程度の厚みを有する。反射板３５の前面側には放電管３４が並べて配置され、放電管３４から直接または間接に反射板３５に照射された光を液晶パネル１６に向けて反射する。
【００２８】
放電管３４は複数本のＵ字管により構成される。無論、直管やＷ字管や擬似Ｕ字管などを用いても構わない。擬似Ｕ字管とは、２本の直管をケーブルにより直列に接続し、ケーブルを接続されない側が一方に揃うようにケーブルを屈曲させて擬似的にＵ字管としたものである。放電管３４はインバータ部２２から交流電流を供給されて発光する。放電管３４の複数本のＵ字管は反射板３５の前面側であって拡散板３３の後ろ面側に上下に略等間隔に並べて配置され、拡散板３３と調光シート３２を介して液晶パネル１６の背面に光を照射している。
【００２９】
拡散板３３と調光シート３２とモールドフレーム３１は、リフレクタフレーム３６の上面に合わせて順に戴置され、モールドフレーム３１が拡散板３３と調光シート３２とをリフレクタフレーム３６の上面との間に固定する。拡散板３３は、蛍光管５１からの直射光および反射板５０からの反射光が照射され、同照射された光を散乱・拡散して面全体を均一な明るさにする。調光シート３２は、表示画面を明るくする為のレンズシートや光を拡散する為の拡散シートなどの調光機能を持つ複数枚の機能性シートから構成され、拡散板３３より照射される拡散光を調光して液晶パネル１６に照射する。
【００３０】
（３）反射板取付構造： 
以下、図４〜６を参照して反射板３５をリフレクタフレーム３６に取り付ける構造について説明する。図４はリフレクタフレーム３６に反射板３５と放電管３４とを配置して示した斜視図、図５は図４の断面Ａに沿って切断して上方向を見て示した斜視図、図６は図４の断面Ｂに沿って切断して右方向を見て示した断面図である。
【００３１】
リフレクタフレーム３６の上側壁から下方に突出する突起３６ａ〜３６ｃが形成される。これら突起３６ａ〜３６ｃは、左寄りに突起３６ａ、略中央に突起３６ｂ、右寄りには突起３６ｃがそれぞれ形成される。図４には示されていないが、リフレクタフレーム３６の下側壁にも上側壁と同様の位置に上方に突出する突起が形成される。これら突起３６ａ〜３６ｃの後面はリフレクタフレーム３６の内後面と略平行に形成される。これら突起３６ａ〜３６ｃの後面とリフレクタフレーム３６の内後面との間隔は、反射板３５が挿入可能な間隔であれば良く、反射板３５が１ｍｍ厚であれば１ｍｍ程度となる。
【００３２】
上記構成において反射板３５をリフレクタフレーム３６に取り付けるには、突起３６ａ〜３６ｃとリフレクタフレーム３６の内後面との間に反射板３５の上端を斜めに嵌め込み、反射板３５の上下方向中央部を前後いずれかの方向に撓ませ、下側壁の突起とリフレクタフレーム３６の内後面との間に反射板３５の下端を嵌め込む。これにより反射板３５の対向する二辺が、上側壁の突起３６ａ〜３６ｃと下側壁の突起とによりリフレクタフレーム３６の内後面に固定される。即ち、突起（以後、突起３６ａ〜３６ｃと下側壁に形成される突起とを合わせて突起と称する。）とリフレクタフレーム３６の内後面との間に反射板３５を保持することにより、反射板３５を単純な矩形とできるため、組付け作業が容易になり、作業性向上と人件費削減が見込める。
【００３３】
なお、突起３６ａ〜３６ｃと下側壁に形成される突起にはその先端部分に傾斜面を設けると反射板３５の取り付けが容易となり好適である。この傾斜面が傾斜部を構成する。この傾斜面について突起３６ｂと下側壁の略中央に形成される突起３６ｅとを例にとって図６を参照して説明する。突起３６ｂの先端部分は、その後下側が斜めにカットされて後下に向く傾斜面３６ｈが形成され、突起３６ｅの先端部分はその後上側が斜めにカットされて後上に向く傾斜面３６ｋが形成される。即ち、傾斜面３６ｈ、３６ｋは、リフレクタフレーム３６の内後面側から見えるように形成される。このように突起の先端に傾斜面を設けることにより、反射板３５を斜めにして突起とリフレクタフレームの内後面の間に挿入して嵌めこむ際に、反射板３５を斜めにしたままで奥まで挿入できるようになり、反射板３５のリフレクタフレーム３６に対する取付作業が容易になる。
【００３４】
ところで、これら突起を含むリフレクタフレーム３６は、雌雄の型の間に樹脂を注入する射出整形により形成される。具体的には、リフレクタフレーム３６の後面側が雌型、前面側が雄型によって形成され、雄型を前方向に、雌型を後方向に後退させてリフレクタフレーム３６を取り出す。
【００３５】
しかしながら、このように雌雄一対の金型のみでは、突起とリフレクタフレーム３６の内後面との間に空間を形成することができない。無論、上下方向にも移動可能な金型を使用すればこの空間を形成することは可能だが、このような金型を新たに作成すると大幅なコストアップとなる。そこで、図７のようにリフレクタフレーム３６において突起の後側に当たる部位に穴を設けるとよい。図７は、突起３６ｂとこの突起３６ｂの後側に形成される穴３６ｍを例にとって示してあるが、無論、突起３６ｂ以外の突起にも穴が設けられる。
【００３６】
この穴３６ｍは、突起３６ｂの後ろ方向への射影をリフレクタフレーム３６の内後面に投影したとき、この射影以上のサイズとされる。即ち、金型の雌型がこの穴３６ｍを通して突起３６ｂの後面および傾斜面に当接するため、雄雌の金型のみで突起とリフレクタフレーム３６との間に空間を形成可能になるとともに、リフレクタフレーム３６の内後面から見えるように形成される傾斜面を形成可能となる。よって金型交換ではなく金型形状を変更するのみで作成可能となり、コストアップを避けることができる。
【００３７】
（４）反射板取付構造の第一の変形例： 
ところで、反射板３５が熱等により撓むことが考えられる。このような撓みを防止するための構造を設けても構わない。図８を参照してこのような撓み防止構造を有するリフレクタフレーム３６の第一の変形例について説明する。図８は、本第一の変形例に対応する構成を、図４の断面Ｂに対応する面にて切断して右方向を見て示した断面図である。本第一の変形例では、リフレクタフレーム３６の突起の形成位置と後述する台部、それに反射板３５の上下方向長さ、以外の構成は上記実施形態と同じである。
【００３８】
図８において、リフレクタフレーム３６内後面の突起３６ｂと突起３６ｅの後ろ側に、リフレクタフレーム３６内後面から前方に所定高さを有する台部３７ａ，３７ｂがそれぞれ形成されている。突起３６ｂと台部３７ａの前後方向間隔と、突起３６ｅと台部３７ｂの前後方向間隔は、それぞれ反射板３５の厚みよりも長くされる。また反射板３５の上下方向長さは、この突起３６ｂと台部３７ａの間に位置する上側壁から、突起３６ｅと台部３７ｂの間に位置する下側壁までの長さよりも僅かに長く形成される。つまり、反射板３５の端部が、突起３６ｂと台部３７ａの間と、突起３６ｅと台部３７ｂの間と、にそれぞれ挿入されたときに、反射板３５の中央部が後方に撓んでリフレクタフレーム３６内後面に接触する程度の長さに形成される。
【００３９】
この構成において反射板３５をリフレクタフレーム３６に取り付けるには、上側壁の突起と台部との間に反射板３５の一端を斜めに嵌め込み、反射板３５の上下方向中央部を後方に撓ませ、下側壁の突起と台部との間に反射板３５の他端を嵌め込む。これにより反射板３５の対向する二辺が、上側壁の突起と台部と、下側壁の突起と台部と、によりリフレクタフレーム３６の内後面に上下方向略中央を接して固定される。
【００４０】
すなわち、リフレクタフレーム３６の内後面において、突起３６ｂ、３６ｅに対応する位置にそれぞれ台部３７ａ，３７ｂが形成され、台部３７ａ，３７ｂの前面と突起３６ｂ、３６ｅの後面との間に反射板３５を挟持したときに、反射板３５中央をリフレクタフレーム３６の内後面側に撓ませて保持する。無論、台部の形成される位置は突起３６ｂ、３６ｅに対応する位置に限らず、これら以外の突起に対応する位置にも台部がそれぞれ形成される。
【００４１】
以上の第一の変形例の構成により、反射板３５中央を予め後ろ方向に撓ませておくことにより、望ましくない方向への撓みを防止するとともに、液晶パネル１６の中央部への反射光が増加するため液晶パネル１６の画面において中央部の輝度を上昇することができる。一般に利用者は、画面中央の輝度が上昇すると画面を明るく感じることから画面中央部の輝度がテレビジョンの使用となる。従って、ユーザの利便性も向上する。さらに、反射板３５の長さをリフレクタフレーム３６の内壁間隔よりも長めにすることにより反射板３５のリフレクタフレーム３６に対する固定力の上昇にもつながる。
【００４２】
（５）反射板取付構造の第二の変形例： 
上記第一の変形例のさらに別の構成例として、図９のような撓み防止の構造を設けても構わない。この構造を第二の変形例とする。図９は、本第二の変形例に対応する構成を、図４の断面Ｂに対応する面にて切断して右方向を見て示した断面図である。本第二の変形例では、リフレクタフレーム３６の内後面の形状と突起の形成位置、以外の構成は上記第一の変形例と同じである。
【００４３】
図９において、リフレクタフレーム３６の内後面は、上下方向中央部を後方に撓ませた形状となっている。また、突起３６ｂと突起３６ｅは、上述した実施形態と同じく、突起３６ｂの後面とリフレクタフレーム３６の内後面との間隔が、反射板３５が挿入可能な間隔とされる。即ち、リフレクタフレーム３６の内後面は、後方に凹むように湾曲されている。
【００４４】
この構成において反射板３５をリフレクタフレーム３６に取り付けるには、上側壁の突起とリフレクタフレーム３６の内後面との間に反射板３５の一端を斜めに嵌め込み、反射板３５の上下方向中央部を後方に撓ませ、下側壁の突起とリフレクタフレーム３６の内後面との間に反射板３５の他端を嵌め込む。これにより反射板３５の対向する二辺が、上側壁の突起と下側壁の突起とによりリフレクタフレーム３６の内後面に固定される。
以上の第二の変形例の構成により、上述した第一の変形例と同様の作用効果を実現することが可能となる。
【００４５】
（６）反射板取付構造の第三の変形例： 
また、さらに別の変形例として、反射板３５の中央部を押さえる構造をリフレクタフレームに設けても構わない。図１０を参照して、この第三の変形例について説明する。図１０は、本第三の変形例に対応する構成を、図４の断面Ａに対応する面にて切断して上方向を見て示した断面図である。本第三の変形例では、リフレクタフレーム３６の内後面の形状、反射板３５に穴以外の構成は上記実施形態と同じである。
【００４６】
図１０において、リフレクタフレーム３６の内後面の略中央にはフック部３８が形成されている。このフック部３８は、リフレクタフレーム３６の内後面から略垂直に延びる基部３８ａとこの基部３８ａからリフレクタフレーム３６の内後面と平行に左側方に延びる鉤部３８ｂとから成る。この鉤部３８ｂの後側でリフレクタフレーム３６の内後面に面する側は。このリフレクタフレーム３６の内後面と平行に形成され、リフレクタフレーム３６の内後面との間隔が反射板３５の厚みと略同一とされる。
【００４７】
また、反射板３５には、このフック部３８の前後方向の射影と同一もしくは僅かに大きい形状の穴３５ａが形成される。この穴３５ａは、反射板３５をリフレクタフレーム３６の内後面に取り付けたときに、フック部３８の前後方向の射影に対して鉤部３８ｂの延出方向と逆方向にオフセットした位置にくる。具体的には、図１０のように、穴３５ａの左右方向の長さとフック部３８の左右方向長さは略一致するが、反射板３５をリフレクタフレーム３６の内後面に取り付けたときには穴３５ａの左端は基部３８ａの左端と当接し、基部３８ａの右側には鉤部３８ｂの基部３８ａからの延出長さｘと略等しい長さ分離れた位置に穴３５ａの右端があることになる。
【００４８】
この構成において反射板３５をリフレクタフレーム３６に取り付けるには、反射板３５をセット位置からｘだけ左方にずらしつつ、上側壁の突起とリフレクタフレーム３６の内後面との間に反射板３５の一端を斜めに嵌め込み、反射板３５の上下方向中央部を後方に撓ませ、フック部３８を穴３５ａに通しつつ下側壁の突起とリフレクタフレーム３６の内後面との間に反射板３５の他端を嵌め込む。そして、右方にｘだけオフセットすることにより反射板３５が所定位置にセットされる。これにより反射板３５の対向する二辺が、上側壁の突起と下側壁の突起とによりリフレクタフレーム３６の内後面に固定されつつ、略中央がフック部３８により固定される。
【００４９】
以上の第三の変形例の構成により、反射板３５の略中央部をフック部３８により後ろ方向に規制するため、反射板３５が後ろ方向に凸に湾曲することがない。また、リフレクタフレーム３６は白色の樹脂であるため、フック部３８が形成されても光の反射率はほとんど低下しない。これらフック部３８と穴３５ａとは複数形成されても良いし、反射板３５の略中央部でなくとも任意の位置に形成されても無論構わない
【００５０】
（７）反射板取付構造の第四の変形例： 
ところで、突起に形成される傾斜面は前下に向いて形成されても構わない。図１１を参照してこの第四の変形例について説明する。図１１には、突起３６ｂに本第四の変形例に対応する傾斜面４０を形成した斜視図を示してある。無論、突起３６ｂ以外の突起にも同様の傾斜面が形成されるものとする。突起３６ｂに本第四の変形例に対応する傾斜面４０が形成された斜視図を示してある。無論、突起３６ｂ以外の突起にも同様の傾斜面が形成されるものとする。
【００５１】
図１１において、突起３６ｂの先端部分は、その前下側が斜めにカットされており、前上に向く傾斜面４０が形成されている。この傾斜面４０は、液晶パネル１６の配置される前方から見えるように形成される。このように突起３６ｂの先端に傾斜面４０を設けることにより、放電管３４から突起３６ｂに向かって照射される光を効率よく液晶パネル１６に向けて反射することが可能となる。
【００５２】
（８）反射板取付構造の第五の変形例： 
上述した第一の変形例では、台部は突起の後ろ側に形成される構成としたが、この台部は突起の後ろ側がからずらした位置に形成されても構わない。図１２を参照して、本第五の変形例について説明する。図１２は、本第五の変形例に対応する構成を、図４の断面Ａに対応する面にて切断して上方向を見て示した断面図である。
【００５３】
リフレクタフレーム３６の上側壁には突起５０ｂと台部５０ａ、５０ｃが形成される。リフレクタフレーム３６の下側壁にもこの突起と台部とに対応する位置に突起と台部とが形成されているものとする。突起５０ｂは上側壁の略中央に形成され、台部５０ａは上側壁の左端付近に形成され、台部５０ｃは上側壁の右端付近に形成される。また突起５０ｂの後側面とリフレクタフレーム３６の内後面との間隔は反射板３５の厚みと略一致する間隔とされる。
【００５４】
この構成において、リフレクタフレーム３６に反射板３５を取り付けるには、反射板３５を左右方向略中央が後ろ方向に凸に湾曲させつつ反射板３５の左端を突起５０ｂの右側から突起５０ｂの下に挿入する。そして反射板３５を左方にずらして反射板３５の左端を前方向に持ち上げて、反射板３５の後側面が台部５０ａの前側面より前側に来るようにし、反射板３５の左端がリフレクタフレーム３６の左端に当接するまで反射板３５をずらす。すると反射板３５の左端では反射板３５の後面が台部５０ａの前側面と当接し、反射板３５の左右方向中央部では反射板３５の前面が突起５０ｂの後側面と当接し、反射板３５の右端では反射板３５の後面が台部５０ｃの前側面と当接し、左右方向略中央部にて後方向に凸に湾曲してリフレクタフレーム３６の内後面にセットされる。
【００５５】
ここで、台部５０ａと台部５０ｃの前後方向長さは、これら台部５０ａと台部５０ｃの前側面に当接する反射板３５の上面が放電管３４と当接しない高さとされる。無論、この台部５０ａと台部５０ｃの前後方向長さは反射板３５の曲げ性にも依存し、リフレクタフレーム３６の内後面にセットされたときの曲率が反射板３５を破損しない範囲となるように決定される。
【００５６】
以上の第五の変形例によれば、突起５０ｂと台部５０ａ、５０ｃとにより、反射板３５をリフレクタフレーム３６に対して固定しつつ、左右方向略中央部にて後ろ方向に凸に湾曲させてセットするため、左右方向略中央部にて前方向に凸にすることを防ぐことが出来る。つまり所望の方向に反射板３５を予め湾曲させることにより、放電管の発する熱などによって意図しない方向に反射板３５が湾曲するのを防ぐ。また、反射板３５を左右方向略中央部にて後ろ方向に凸に湾曲させてセットすると、左右方向において略中央部への反射光が増加し、液晶パネル１６の略中央部の輝度が上昇する。
【００５７】
（９）反射板取付構造の第六の変形例： 
ところで、大型の液晶テレビジョン等の液晶表示装置では、放電管３４とリフレクタフレーム３６の内後面との間に支持部材を配置し、この支持部材により放電管３４をリフレクタフレーム３６の内後面に対して支えて放電管３４の折れを防止しているものもある。このような支持部材を備えた第六の変形例を、図１３を参照して説明する。図１３は、本第六の変形例に対応する構成を、図４の断面Ｂに対応する面にて切断して右方向を見て示した断面図である。本第六の変形例は、支持部材を備える点と、反射板３５の形状以外は上述した実施形態の構成と同じである。
【００５８】
図１３において、バックライト装置３０は、支持部材６０ａ，６０ｂ，６０ｃを備える。これら支持部材６０ａ，６０ｂ，６０ｃは、リフレクタフレーム３６の内後面から放電管３４までの距離と略同一の高さを有し、放電管３４と当接する側をリフレクタフレーム３６の内後面と当接する側よりも上下に広く形成した台状に形成される。またリフレクタフレーム３６の内後面と当接する側は、リフレクタフレーム３６に対して固定される。
【００５９】
支持部材６０ａ，６０ｂ，６０ｃの台状の部分は、放電管３４が当接する部位以外を前方に張り出す形状としてあり、放電管３４が当接する部位が後方に凹む形状としてある。支持部材６０ａ，６０ｂ，６０ｃは、この凹む形状により、リフレクタフレームの左右方向略中央にて放電管３４を支持し、放電管３４の自重や衝撃による折れを防止している。これにより、支持部材６０ａは上から２本の放電管３４を支持し、支持部材６０ｂは中２本の放電管３４を支持し、支持部材６０ｃは下から２本の放電管を支持する。
【００６０】
さらに、支持部材６０ａ，６０ｂ，６０ｃは、反射板３５の前面に沿って上下に張り出すように形成されており、リフレクタフレーム３６に固定されるとこの張り出し部分によって反射板３５をリフレクタフレーム３６の内後面との間に押圧挟持する。即ち、支持部材６０ａ，６０ｂ，６０ｃは、放電管３４をリフレクタフレーム３６の内後面に対して支えつつ、反射板３５をリフレクタフレーム３６の内後面に対して押さえている。
【００６１】
本第六の変形例においては、２本が一組となるＵ字管を採用しているため２本に１つの支持部材を備える構成としてあるが、無論、支持部材は、放電管３４の一本一本に対して備えられても良いし、複数本に１つの支持部材を備えても良い。また、全てに対して備えられなくともよく、放電管３４の何れか１本以上に対して備えられれば本第六の変形例の目的を達しうる。また、支持部材は左右方向の略中央に配置される必要は必ずしも無く、その配置位置は適宜変更可能である。
【００６２】
（１０）まとめ： 
つまり、リフレクタフレーム３６の上側壁に突起３６ａ，３６ｂ，３６ｃを形成し、リフレクタフレーム３６の下側壁にも上側壁と同様の突起を形成する。これら突起はリフレクタフレーム３６の内後面から反射板３５の厚みに略等しい高さとなる後面を有し、この後面とリフレクタフレーム３６の内後面との間に反射板３５の上下端部を挟持する。これにより、バックライト装置の部品点数と組立工程とを減少してコストダウンを実現するとともに、反射板の剥がれや撓みを防止することができる。
【００６３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６４】
【図１】液晶テレビジョンを斜め前方より見て示した斜視図である。
【図２】液晶テレビジョンの概略構成を示すブロック図である。
【図３】バックライト装置の構造を示す分解斜視図である。
【図４】リフレクタフレームに反射板と放電管とを配置して示した斜視図である。
【図５】図４の断面Ａに沿って切断して上方向を見て示した斜視図である。
【図６】図４の断面Ｂに沿って切断して右方向を見て示した断面図である。
【図７】リフレクタフレームにおいて突起の後側に当たる部位に穴を設けた構成を説明する部分斜視図である。
【図８】第一の変形例に対応する構成を、図４の断面Ｂに対応する面にて切断して右方向を見て示した断面図である。
【図９】第二の変形例に対応する構成を、図４の断面Ｂに対応する面にて切断して右方向を見て示した断面図である。
【図１０】第三の変形例に対応する構成を、図４の断面Ａに対応する面にて切断して上方向を見て示した断面図である。
【図１１】突起に第四の変形例に対応する傾斜面を形成した斜視図を示してある。
【図１２】第五の変形例に対応する構成を、図４の断面Ａに対応する面にて切断して上方向を見て示した断面図である。
【図１３】第六の変形例に対応する構成を、図４の断面Ｂに対応する面にて切断して右方向を見て示した断面図である。
【符号の説明】
【００６５】
１００…液晶テレビジョン
１０…チューナ  １２…画像データ生成部  １４…パネル駆動部  １６…液晶パネル  １８…マイコン  ２０…バックライト装置  ２２…インバータ部
３１…モールドフレーム  ３２…調光シート  ３３…拡散板  ３４…放電管（冷陰極蛍光管）  ３５…反射板  ３６…リフレクタフレーム
３６ａ，３６ｂ，３６ｃ，３６ｅ…突起  ３６ｈ，３６ｋ…傾斜面  ３６ｍ…穴  ３７ａ，３７ｂ…台部  ３８…フック部  ３８ａ…基部  ３８ｂ…鉤部  ４０…傾斜面  ５０ａ，５０ｂ…台部  ６０ａ，６０ｂ，６０ｃ…支持部材
Ａ…断面  Ｂ…断面  Ｃ…キャビネット  Ｌ…脚部
【図１】
2008107561.tif 000003
【図２】
2008107561.tif 000004
【図３】
2008107561.tif 000005
【図４】
2008107561.tif 000006
【図５】
2008107561.tif 000007
【図６】
2008107561.tif 000008
【図７】
2008107561.tif 000009
【図８】
2008107561.tif 000010
【図９】
2008107561.tif 000011
【図１０】
2008107561.tif 000012
【図１１】
2008107561.tif 000013
【図１２】
2008107561.tif 000014
【図１３】
2008107561.tif 000015